【事件の表示】
　平成　７年特許願第３２７６７５号「スタイラス装置」拒絶査定不服審判事件〔平成　８年　９月１３日出願公開、特開平　８−２３４９０２〕について、次のとおり審決する。
【結　論】
　本件審判の請求は、成り立たない。
【理　由】
１．手続の経緯
　本願は、平成７年１２月１５日の出願（優先権主張：１９９４年１２月１６日、優先権主張国：米国）であって、平成１９年７月３１日付けで拒絶査定がなされ、これに対し、同年１１月６日に拒絶査定不服審判が請求され、当審により平成２０年５月２７日付けで拒絶理由を通知し、同年９月２日付けで手続補正書が提出されたものである。
　
２．本願発明について
　本願請求項１〜６に係る発明は、平成２０年９月２日付けの手続補正によって補正された明細書及び図面の記載からみて、本願の特許請求の範囲の請求項１〜６に記載された事項により特定される、以下のとおりのものである。
　
「【請求項１】
　コンピュータにデータを入力するためのスタイラス装置であって、
（ａ）前記スタイラス装置における先端部スイッチ、軸部スイッチ及び所定の基準電圧と比較するコンパレータによるバッテリの状態を含むスタイラス装置の動作状態、スタイラス装置の識別番号及び／又は障害コードを示すデータを記憶するメモリと、
（ｂ）正弦波を発生するジェネレータと、
（ｃ）前記メモリに記憶された前記データを前記正弦波により振幅変調された直列ビットストリームのパルス列に変換する論理回路と、
（ｄ）前記パルス列を出力する先端部のチップと、
を備えることを特徴とするスタイラス装置。
【請求項２】
　前記論理回路は、前記直列ビットストリームのパルス列をパケット化する論理回路を有する請求項１に記載のスタイラス装置。
【請求項３】
　前記メモリが、前記スタイラス装置の先端に加えられた圧力を示すデータを記憶することを特徴とする請求項１に記載のスタイラス装置。
【請求項４】
　前記メモリが、軸部スイッチの閉状態を示すデータを記憶することを特徴とする請求項１に記載のスタイラス装置。
【請求項５】
　前記メモリが、バッテリ状態を示すデータを記憶することを特徴とする請求項１に記載のスタイラス装置。
【請求項６】
　前記メモリが、ユーザにより設定されたカラーディスプレイを示すデータを記憶することを特徴とする請求項１に記載のスタイラス装置。」
　
３．刊行物の記載
（１）刊行物１
　当審において、平成２０年５月２７日付けで通知した拒絶理由に引用した特開平６−２０２７８７号公報（以下、「刊行物１」と言う。）には、「ペン・コンピュータ」に関し、図面と共に、次のような記載がある。
　
【請求項１】  装置の書込み先端の位置を検知すると共に、該位置を表わすデータを発生する少なくとも１つの検出器と、
前記データを処理すると共に、該処理したデータを出力としてもたらす少なくとも１つのプロセッサと、
前記プロセッサの前記出力を記憶するメモリと、
前記メモリに記憶した前記出力を伝送する送信器と、
前記少なくとも１つの検出器、プロセッサ、メモリ及び送信器に作動電力を供給する電源と、を具備することを特徴とする書込み装置。
　
【０００８】
【発明の概要】本発明の好ましい実施例によれば、書き込まれたペンのストロークを表わすデータを得て、これらペンストロークに関連する記号を認識することができ、または得られたデータを圧縮することができる自蔵式ペン・コンピュータが提供される。これらの認識された記号または圧縮したデータは、ペンに内蔵したメモリに記憶されて、自蔵式送信器を介して、ホストコンピュータに伝送される。
【０００９】本発明の目的は、ペンによって書き込まれたストロークを表わす記号を認識（または圧縮）し、記憶して、こういった認識した記号をホストコンピュータに伝送する自蔵式ペン・コンピュータを提供することにある。
　
【００１１】
【実施例】図１を参照すると、ペンの針部を使用することによって書き込まれたデータを収集するための、本発明の自蔵式ペン・コンピュータの好ましい実施例が示されている。この種のデータ（図１の文字「Ａ」）の認識、及び文字、数字、図面、及び／又は記号へのデータの変換は、ペンの中に位置する少なくとも１つの特別なコンピュータ・プロセッサまたはチップによって達成される。「記号」または「文字」（単数または複数）の用語は、ペンの針部で書き込まれたデータを意味するのに使用される。そこで、記号は、ペン中に位置するメモリに記憶される。その代わりに、針部からのデータは、コンピュータ・チップによって圧縮して記憶することができる。ペン・コンピュータのメモリに記憶された、認識または圧縮した記号は、この後、同様にペン中に位置する送信器を用いて、ユーザによって、ホストコンピュータ（図示せず）に伝送することができる。この伝送は、連続した実時間ベースであってよい。こういった認識または圧縮した記号は、ホストコンピュータの受信器によって、ホストコンピュータで受信されて、適切に、画面上に表示されるか、表示され処理されるか、または記憶される。
　
【００１３】更に、ペンの外部には、ペンが動作し得る種々のモードを変えるためのモードスイッチが設けられている。このスイッチは、二位置プッシュボタン式スイッチ、または選択可能多位置スイッチであってよい。
　
【００１４】図２について説明すると、本発明の自蔵式ペン・コンピュータの本実施例と関連する種々の内部及び外部構成要素の一般的機能ブロック図が示されている。詳述すると、本発明の自蔵式ペン・コンピュータは、適切な信号をデジタイザに供給すべく、針部移動検出器、針部圧力検出器、及び針部アップ／ダウン検出器を使用することが好ましい。デジタイザは、一片の紙、または他の任意の書込み表面に書き込まれた文字（またはデータ）に対応すると共に、針部の移動を表わすこの種信号をデジタル化する。
　
【００２４】また、モードスイッチを記憶位置に配置することができ、この場合、送信器は、モードスイッチを伝送位置に押し込むことに応答して、認識文字メモリからのデータを伝送するだけである。更に、汎用プロセッサを適切にプログラムした後、種々の他の型式のモード間でシフトを行うのに、外部モードスイッチを使用することができる。こういった他の型式のモードは、ペン・コンピュータが特定のユーザの手書きのみを認識して、他の如何なるユーザに対しても動作することのないモードを含むことができよう。種々のモードにおけるペン・コンピュータの構成は、再プログラミングプラグ及びホストコンピュータを介して達成することもできる。即ち、モードスイッチは、完全にまたは部分的にソフトウェア「スイッチ」であってよい。例えば、ベン・コンピュータをターン・オンするのに、ユーザによって外部モードスイッチを用いることができ、この後、ユーザは、ペン・コンピュータが十分に作動的となるために、プログラム可能なパスワード（またはパス記号）を書き込むことができ、次いで、ペン・コンピュータを所望の動作モードにシフトするために、番号、文字、及び／又は短い語句を書き込むことができる。即ち、モード「スイッチ」は、記号、文字、番号、または短い語句であってもよい。
【００２５】更に、別のモードにおいて、認識メモリが満杯になって、ユーザがこのメモリをダウンロードしなかったとき、汎用プロセッサは、この認識メモリの動作を制御することができる。即ち、メモリが満杯になった後、ペンデータ収集アクティビティを消勢するモードに、汎用プロセッサをプログラムすることができ、またはペンが動作し続けてデータがラップされる、即ち、メモリが、最も古いデータの上位に最新のデータを格納し始めるか、またはデータが自動的にホストコンピュータにダウンロードされるようなモードに、汎用プロセッサをプログラムすることができる。別のモードにおいて、汎用プロセッサは、送信器によって使用される通信プロトコルを制御することができる。例えば、一方のモードにおいて、送信器は、各パケットの開始及び／又は終了時点に、独自のユーザ識別「番号」と共に、データのパケットを伝送することができる。
　
【００３１】図３について説明すると、本発明に使用される手書き検出器がもたらす種々の入力の単純化した機能ブロック図が示されている。詳述すると、書込み表面における、針部または書込み先端部の移動、接触及び圧力をもたらす手書き検出器機能が示されている。これは、特別な書込み領域の表面上または表面内の１つ以上の適切な検出器、あるいはより好ましくは、本発明のペン・コンピュータに内蔵された１つ以上の適切な検出器によって達成することができる。一般に、移動機能によって、ストローク長、寸法、及び形状が認識チップにもたらされる。即ち、移動機能は、速度及び加速度を含むこともできて、これらに関するデータをチップに供給する。アップ／ダウン機能は、針部が書込み表面と接触している（「ダウン」）か、または書込み表面から離隔している（「アップ」）ことを検出するものである。圧力機能は、針部及び書込み表面間に作用する力の総量を検出するものである。力は、感情状態を表わすものであり、認識チップにとって有益な入力となる。最小限として、移動及びアップ／ダウン機能に対応したデジタル化入力が、認識チップにもたらされる。本発明のペン・コンピュータには、任意型式の手書き入力装置を使用することができる。
【００３２】例えば、圧力機能は、ペン本体と、ペンの一部を含む個別針部、すなわち書込み先端部との間に配置されたピエゾエレクトリックセンサによって決定することができる。同様にして、移動及びアップ／ダウン機能をもたらすために、ペンの針部端部に位置する直交軸加速度計を用いることができる。こういった機能は、残りのペン構成要素にもたらされ、そのデータは、同様にペンに含まれるデジタイザによってデジタル化することができる。例えば、アナログセンサからの出力はデジタル化しなければならず、このためデジタイザが必要となる。即ち、デジタルセンサからのデジタル出力に対して、デジタイザは不要であるが、入力センサの選択的交換及び保守を考慮して、備えることができる。
　
【００３５】本発明の最も簡単な実施例において、デジタル化信号は、ペン・コンピュータに含まれる個別メモリに供給され、メモリが一杯になったとき、こういった信号は、ペンに含まれる個別送信器を介して、ホストコンピュータに供給される。即ち、ペンは、少なくとも可搬式の記憶装置であり、一方、ＸＹパッドは固定式または可搬式であってよい。しかしながら、認識チップがペン・コンピュータに内蔵されて、デジタル化信号に基づき、記号が何であるかを決定し、こういった記号を個別メモリに格納することが好ましい。認識チップがペン・コンピュータに内蔵されるとき、受信器およびチップ間の入力バッファを用いることができる。即ち、バッファの寸法は、伝送及び処理のレート及び速度によって決まる。代わりに、デジタル化信号は圧縮されて、メモリに記憶される。これらの記憶した信号は、ペンに内蔵の送信器によって、ホストコンピュータと関連した受信器に伝送される。
　
  これらの記載によれば、刊行物１には、次の発明（以下、「刊行物１発明」という。）が開示されていると認めることができる。
　「ペンの針部を使用することによって書き込まれたデータを収集するための自蔵式ペン・コンピュータであって、
　ペン・コンピュータの書込み先端の位置を検知すると共に、該位置を表わすデータを発生する少なくとも１つの検出器と、
　前記データを処理すると共に、該処理したデータを出力としてもたらす少なくとも１つのプロセッサと、
　前記プロセッサの前記出力を記憶するメモリと、
　前記メモリに記憶した前記出力をホストコンピュータに伝送する送信器と、
　を備えるペン・コンピュータ。」
　
（２）周知文献１
　当審において、平成２０年５月２７日付けで通知した拒絶理由に引用した特開平６−２２２８８４号公報（以下、「周知文献１」と言う。）には、図面と共に、次のような記載がある。
　
【０００３】例えば、米国特許第4,814,552 号で説明されているような幾つかのシステムは、符号化されたビットストリーム中の識別情報を供給することにより、単一コンピュータに、マルチプル入力スタイラスを組み込んでもよい。各スタイラスからの音響信号はロケーション（記憶位置）へ容易に変換できるように設計されていると共に、各音響信号は特殊な識別コードを含むので、システムはどのスタイラスが信号源であるかを決定できる。
　
（３）周知文献２
　当審において、平成２０年５月２７日付けで通知した拒絶理由に引用した特開平２−２９２６１７号公報（以下、「周知文献２」と言う。）には、図面と共に、次のような記載がある。
　
「コイル９２はこの誘導電圧に基づいて同調回路に流れる電流により電波を発生し、この電波によって前述とは逆にループコイルＣｉが励振されることになり、該ループコイルＣｉに誘導電圧が発生することになる。」（第４頁右上欄第１４〜１９行）
　
「そして、このスイッチ９１のオン・オフは符号発生回路９５の出力信号による。この符号発生回路９５は、例えば第２図に示すように、パルス幅により各ビットの値を出力するようにしてあり、８ビットの信号を出力するようにしてある。出力開始はへッダ９５ａによって提供され、これに続いて８ビットの符号９５ｂが出力される。そして、スイッチ９１はこの出力信号が１（または０）のときにオンされるから、上述の位相差が生じた受信信号Ｑが、該符号９５ｂに同期して出力されることになる。したがって、入力ペン８ごとにこの符号９５ｂを定めておけば、受信信号Ｑによっていずれの入力ペン８によって入力されているかが判断できる。」（第４頁右下欄第４〜１６行）
　
　図２には、コイル９２が入力ペン８の先端部に位置していることが示されている。
　
（４）周知文献３
　当審において、平成２０年５月２７日付けで通知した拒絶理由に引用した米国特許第４８１４５５２号明細書（以下、「周知文献３」と言う。）には、図面と共に、次のような記載がある。
　
「Multiple stylusses can be used, each transmitting a distinctive identification code so that the system can determine which stylus is the signal source.」（ABSTRACT）
（訳：多機能スタイラスは、各スタイラスが、システムがどのスタイラスが信号源であるのかを決定することが出来るように固有のＩＤコードを送信しながら、用いられる。）
　
「In addition, there are three finger activated function switches 18 19 20, the status of these switches being encoded into the IR transmission.」（第３欄第３０〜３３行）
（訳：さらに、指で操作される３つの機能スイッチ１８，１９，２０があり、これらのスイッチの状態は符号化され赤外線通信で伝送される。）
　
「The first three data bits are the code assigned to the pen (PEN ID) and the remaining four bits represent the push button switches.」（第５欄第１〜３行）
（訳：最初の３つのデータビットは、ペンに割り当てられたコード（ペンID）で、残りの４つは、押しボタンスイッチに対応する。）
　
「At this time the computer will read ・・・ the stylus status word containing the switch information and stylus identification.」（第７欄第３〜６行）
（訳：この時、コンピューターは、・・・スイッチ情報とスタイラスのIDを含むスタイラスの状態ワードを読み込む。）
　
（５）周知文献４
　当審において、平成２０年５月２７日付けで通知した拒絶理由に引用した特開平５−７３３４４号公報（以下、「周知文献４」と言う。）には、図面と共に、次のような記載がある。
　
「【請求項１】  管理用計算機と複数の制御用計算機とがシステムバスで接続されており、前記制御用計算機に故障が発生した場合に前記管理用計算機が故障発生した制御用計算機の故障情報を管理すべくなしてある計算機システムにおいて、
前記管理用計算機は、
前記複数の制御用計算機から受信した故障情報を蓄える故障情報格納部と、
受信した故障情報を表示する情報表示器と、
前記制御用計算機それぞれをリセットするためのリセット指令を含む種々の指令を入力する入力部と、
該入力部を介して入力された指令を故障発生した制御用計算機へ送信する送信部とを有し、
前記各制御用計算機は、
情報表示のための補助情報表示器と、
それぞれの状態を自己診断する自己診断部と、
該自己診断部の診断結果が故障発生である場合にオンされる故障発生フラグと、
故障発生時に故障情報を格納する故障情報格納部と、
故障情報を前記管理用計算機へ前記システムバスを介して送信する送信部と、・・・
前記故障情報格納部に格納されている故障情報を前記補助情報表示器に表示する故障情報表示部とを有することを特徴とする計算機システム。」
　
（６）周知文献５
　当審において、平成２０年５月２７日付けで通知した拒絶理由に引用した特開平６−８９０５０号公報（以下、「周知文献５」と言う。）には、図面と共に、次のような記載がある。
　
【請求項１】  画像形成装置と管理装置とを通信手段を介して接続し、画像形成装置に異常が発生した場合に、管理装置側にその異常状態を示す信号を送信し、管理装置側で発生した異常状態を把握できる画像形成装置管理システムにおいて、
画像形成装置を構成する各要素の異常状態を検出する異常検出手段と、
画像形成装置に異常が発生した場合に、画像形成装置の動作を禁止する動作禁止手段と、
前記異常検出手段から出力される異常検出信号を判別し、発生した異常状態が消耗品の寿命による異常状態か否かを判別する異常判別手段と、
所定の時間を入力する時間入力手段と、
前記異常判別手段により発生した異常状態が消耗品の寿命による異常状態であると判別されたとき、前記時間入力手段から入力された所定時間が経過するまでは、前記動作禁止手段で禁止された画像形成装置の動作禁止状態を解除する動作禁止解除手段とを備え、
少なくとも、前記異常検出手段と動作禁止手段とを画像形成装置側に配置し、前記時間入力手段を管理装置側に配置したことを備えたことを特徴とする画像形成装置管理システム。
　
【００２９】メモリ２１０に格納されるデ−タは、電子写真プロセスを制御するための基準デ−タＢＤ、制御に際して適宜変更される各種設定値や設置環境情報を含む過去及び現在の状態を示すデ−タ等からなる管理デ−タＣＤ、コピ−枚数や消耗品の管理等のユ−ザ−デ−タＵＤ等がある。
　
【００３３】図６は前記管理ネツトワ−クシステムによる通信内容を示す図である。図においてＭＤはメインテナンスデ−タで、例えば電源投入時、定期的に所定の時刻毎に、そして異常発生時などに各複写機Ａ１〜Ａ５から管理装置２２７に向けて送信される。
【００３４】メインテナンスデ−タＭＤには、複写機を特定するマシン番号Ｍｎ、累積複写枚数ＣＮ、装置の自己診断機能により検出された複写機の状態（適正状態、故障状態等）を示すコンデシヨンデ−タ、トラブルコ−ドＴＣ、及び異常や不調の発生した日時を示す日時デ−タ等からなる管理デ−タＣＤ、前回のデ−タ送信以降に発生した紙詰まり（ジヤム）発生回数Ｊｎ、前回のデ−タ送信以降の保守作業の実施の有無等のメインテナンス実施デ−タＳＥＤ、メインテナンスカウンタＭＣのカウント値ＭＣｎが含まれる。
　
【００４２】サ−ビス訪問時期設定処理では、まず、複写機Ａからメインテナンスデ−タＭＤを受信したか否かを判定する（ステツプ＃２１）。受信している場合は、メインテナンスデ−タＭＤに含まれている管理デ−タＣＤを調べ、複写機Ａに故障が発生しているか否かを判定する（ステツプ＃２２）。
　
（７）周知文献６
　当審において、平成２０年５月２７日付けで通知した拒絶理由に引用した特開昭６２−２２１０９８号公報（以下、「周知文献６」と言う。）には、図面と共に、次のような記載がある。
　
「２．特許請求の範囲
　各電子キャッシュレジスタにて販売登録された各販売商品の販売データをファイル制御部で集計するとともに、このファイル制御部が外部のホストコンピュータに伝送回線を介して接続されたＰＯＳシステムにおいて、前記各電子キャッシュレジスタは、少なくともこの電子キャッシュレジスタに組込まれたプリンタ、表示部等の構成部材の故障および前記ファイル制御部との間における伝送エラーを検出するための自己診断プログラムと、前記ホストコンピュータから前記ファイル制御部を介して入力される自己診断指令に応動して前記自己診断プログラムを実行する自己診断実行手段と、この自己診断実行手段によって検出された前記故障および伝送エラー等のエラー情報を記憶するエラーログファイルと、このエラーログファイルに記憶されたエラー情報を前記ホストコンピュータへエラー応答情報として送信するエラー情報送信手段とを備えたことを特徴とするＰＯＳシステム。」（第１頁左下欄第４行〜右下欄第４行）
　
（８）周知文献７
　当審において、平成２０年５月２７日付けで通知した拒絶理由に引用した特開平５−２８３２８号公報（以下、「周知文献７」と言う。）には、図面と共に、次のような記載がある。
　
【０００３】以下、この非接触型のＩＣカードについて説明するので、単にＩＣカードというときには非接触型のＩＣカードを意味するものとするが、上記特開昭６２−１８６３９２号公報においては、ＩＣカードに金属ループのコイルとこのコイルの両端子間を短縮、解放する電子的スイッチ手段とが設けられ、一方、リーダライタには、発信用コイルと受信用コイルとが所定の間隔で同軸上に設けられており、ＩＣカードのコイルをリーダライタの発信用コイル、受信用コイル間に挿入することにより、これらが磁気結合されてリーダライタとＩＣカードとが接続される。ＩＣカードからデータを読み取る場合には、発振回路から発振コイルに正弦波または矩形波の高周波信号が供給されており、ＩＣカードにおいて、データの“１”，“０”ビットに応じて電子的スイッチ手段をオン、オフする。これにより、高周波信号で発信用コイルから発生される磁束によって受信用コイルに誘導される高周波信号の振幅が変化し、この高周波信号を増幅、整流、振幅検波することにより、リーダライタでＩＣカードからのデータが読み取られる。
　
（９）周知文献８
　当審において、平成２０年５月２７日付けで通知した拒絶理由に引用した特開昭６２−１８６３９２号公報（以下、「周知文献８」と言う。）には、図面と共に、次のような記載がある。
　
「２．特許請求の範囲
　演算・記憶などの論理機能を有するＩＣカードの内部論理状態を外部機器によつて読み取るＩＣカードの信号検出方法において、該ＩＣカードには内部の論理状態に応じてオンオフする電子的スイッチ手段とこれに接続された金属ループを具え、該外部機器には電磁結合を生じるように配置された発信用コイルと受信用コイルを具え、該ＩＣカードの該金属ループを該発信用コイルと該受信用コイルの間に挿入し、該電子的スイッチ手段のオンオフによつて該発信用コイルと該受信用コイルの電磁結合状態を変化させることによつてＩＣカードの内部の論理状態を検出することを特徴とするＩＣカードの信号検出方法。」
　
「一方外部機器には、フェライトなどによる磁性体の磁心に銅線などを巻回した二つのコイルを具えており、一方は発振回路１５に接続されて発信コイル１４として用いられ、他方は波形整形回路１５に接続されて受信コイル１６として用いられる。発信コイル１４と受信コイル１６は磁気結合が生じるように近接して配置され、発振回路で発生した正弦波または矩形波の高周波信号によつて発信コイル１４で生じる磁束の変化によって、受信コイル１６には電磁誘導現象によって磁束の変化に応じた高周波信号を生じる。この信号を波形整形回路１５によつて増幅、整流、弁別を行つて信号を検出する。発振回路１３、波形整形回路１５はいずれも通常用いられる電子回路によって構成することができる。
　次に動作について第２図に示した波形図も参照して説明する。発振回路１５１Ｃよつて正弦波２７が発生しこれが発信コイル１４に印加されると発信コイル１４は磁束を発生し、この磁束は信号の周期に応じて変化する。このとき発生する磁束の大部分は巻線に垂直な方向すなわちコアの鍔の方向に伸びる。この磁束が受信コイル１６に達するように受信コイル１６は配置されているが、ＩＣカードを挿入できる間隔を有している。磁束の変化に応じて受信コイル１６０巻線に正弦波の電流が発生し、これが波形整形回路１５に人力される。」（第２頁右下欄第１５行〜第３頁左上欄最下行）
　
（１０）周知文献９
　当審において、平成２０年５月２７日付けで通知した拒絶理由に引用した特開平６−３１４１６２号公報（以下、「周知文献９」と言う。）には、図面と共に、次のような記載がある。
　
【００２６】マルチプレクサ３６は、図４における別の概略図においてマルチプレクサ３６’として示されている。マルチプレクサ３６叉は３６’が図７に示され、送信機４６に適用されるデータ・フレームにおける数の時分割順序を生成することがわかる。マルチプレクサは、データ・ストリームの順序及び内容を変更するように制御することができる。圧力検出回路のアナログ・ディジタル変換器４４及び位置検出のアナログ・ディジタル変換器３４からの交互に出力された数の多重化されたデータ・ストリームは、周波数偏移キー送信機４６（ＦＳＫ）に適用される。
【００２７】送信機４６の出力は、スタイラス２０のアンテナ４８に適用される。スタイラス２０は、次に圧力検出メカニズム３８に与えられた圧力とＸーＹ位置情報を含む情報をアンテナ・デバイス２９から放射する。このデータ・ストリームは、アンテナ４８から放射され、本発明に従ってディジタル化ディスプレイ２２に埋め込まれたアンテナ６２によって検出される。図４は、入力Ａ、Ｂ、Ｃ、Ｄ、Ｅ及び出力Ｆを含み、図１のマルチプレクサ３６を置き換えることができるマルチプレクサ３６’を示している。図４のマルチプレクサ３６’は、５つの入力装置、圧力検出器４２、信号強度検出器３２、個人識別番号記憶装置１０４、ＲＡＭ１０６とマイクロフォン１６及びＣＯＤＥＣ（符号化・複合化装置）１３を通してスピーカ１７を接続している。
【００２８】圧力検出器４２は、スタイラス２０の先端４からの与えられた圧力信号入力をアナログ・ディジタル変換器４４に転送し、入力Ａに与えられた圧力のディジタル表現が、マルチプレクサ３６’に出力される。信号強度検出器３２は、アンテナ２９からＸーＹに関連した位置情報及びＺ分離情報を受信し、アナログ・ディジタル変換器３４へ適用する。変換器３４は、ＸーＹ位置及びＺ分離のディジタル表現を入力Ｂを通してマルチプレクサ３６’に出力する。個人識別番号記憶装置１０４は、読みとり専用記憶装置又は書き込み可能なＥＰＲＯＭであり、識別ディジタル数を入力Ｃを通してマルチプレクサ３６’に出力する。ＲＡＭ１０６は、マルチプレクサ３６’の入力Ｄに対するディジタル情報としての出力である情報を記憶することができる。
【００２９】図４は、また、ＣＯＤＥＣ１３を通してマルチプレクサ３６’に接続されているマイクロフォン１６及びスピーカ１７を示している。ＣＯＤＥＣ１３は、パルス・コード変調叉はデルタ変調型のエンコーダ及びデコーダで、音声信号のようなアナログ信号をサンプリングし、ディジタル化された２進ビットのストリームに変換する。従来技術における適当なＣＯＤＥＣ１３の例は、米国特許第４，２０８，７４０号に示されている。他の適当なＣＯＤＥＣデバイスは、例えば米国特許第４，０５９，８００号に記述されている。ＣＯＤＥＣ１３は、マイクロフォン１６からのアナログ信号をサンプリングし、元のアナログ信号の複製である２進情報のディジタル化したストリームに変換し、ラインＥに対して出力する。それはパルス・コード変調又はデルタ変調でよい。
　
（１１）周知文献１０
　特開平６−３０１４８３号公報（以下、「周知文献１０」と言う。）には、図面と共に、次のような記載がある。
　
【００１１】図１に本発明を動作させる処理装置の一実施例を示す。１０１は処理装置、１０２は表示装置およびタブレット、１０３はペン入力装置である。図２は本発明の一実施例の構成を説明する処理装置の例である。２０１は処理装置、２０２はペンである。処理装置上ではタブレット（２０５）がペンからの電磁波を受信するよう、動作している。・・・図３は本発明の一実施例のペン構成図の例（第１例）である。ペンは、周波数可変形発信回路（３０１）と送信コイル（３０２）から成る。ペン外形は本体（３０３）ペン先（３０４）から成り、ペン先が押されると鉄心（３０６）がコイル（３０５）内を移動し、それにより、コイル（３０５）のインピーダンスが変化する。このコイル（３０５）はＲＬＣ共振回路を構成しており、インピーダンスが変化することにより、共振周波数が変動する。発信回路のこの共振周波数の交流電流がトランスを経て送信コイル（３０７）へ送られ、送信コイル（３０７）がらタブレットへ電磁波が送信される。図３は本発明の一実施例のペン構成図の例（第２例）である。ペン外形は本体（４０１）ペン先（４０２）から成り、ペン先が押されると可変抵抗器（４０３）の抵抗値が変わり、それにより回路のインピーダンスが変化して、発信回路の周波数が変動する。発信回路の交流電流がトランスを経て送信コイル（４０４）へ送られ、送信コイル（４０４）からタブレットへ電磁波が送信される。・・・
　
　
４．対比
　本願請求項１に係る発明（以下、「本願発明」という。）と刊行物１発明とを比較する。
　刊行物１発明の「ペン・コンピュータ」は、本願発明の「スタイラス装置」に相当する。
　刊行物１発明では、ペン・コンピュータの書込み先端の位置を検知し、該位置を表わすデータを発生し、前記データを処理すると共に、該処理したデータを出力し、前記出力を記憶するメモリを備え、前記メモリに記憶した前記出力を伝送する送信機を備えるものであるので、刊行物１発明の「ペン・コンピュータの書込み先端の位置を表わすデータ」を処理したデータは、本願発明の「スタイラス装置の動作状態」を示すデータに相当する。
　また、刊行物１発明の「ペン・コンピュータの書込み先端の位置を表すデータを処理されたデータを記憶するメモリ」は、本願発明の「（ａ）前記スタイラス装置の動作状態、を示すデータを記憶するメモリ」に相当する。
　また、刊行物１発明は、「メモリに記憶した前記出力を伝送する」から、本願発明の「（ｂ）正弦波を発生するジェネレータと、（ｃ）前記メモリに記憶された前記データを前記正弦波により振幅変調された直列ビットストリームのパルス列に変換する論理回路と、（ｄ）前記パルス列を出力する先端部のチップと、」とは、「（ｃ）前記メモリに記憶された前記データを、（ｄ）出力する」点で一致する。
　
　したがって、両者は、
　「コンピュータにデータを入力するためのスタイラス装置であって、
（ａ）スタイラス装置の動作状態、を示すデータを記憶するメモリと、
（ｃ）前記メモリに記憶された前記データを、
（ｄ）出力し、
を備えるスタイラス装置。」
の点で一致し、以下の点で相違している。
　
［相違点１］
　「スタイラス装置の動作状態」が、本願発明では「前記スタイラス装置における先端部スイッチ、軸部スイッチ及び所定の基準電圧と比較するコンパレータによるバッテリの状態を含む」ものであるのに対して、刊行物１発明では、「ペン・コンピュータの書込み先端の位置を表すデータを処理されたデータ」であって、スイッチの状態やバッテリの状態を示すデータの記憶については、記載されていない点。
　
［相違点２］
　「メモリ」は、本願発明では「スタイラス識別番号及び／又は障害コードを示すデータ」も記憶するのに対して、刊行物１発明ではこれらのデータについては記載されていない点。
　
［相違点３］
　「前記メモリに記憶された前記データを、出力し、」にあたって、本願発明では「（ｂ）正弦波を発生するジェネレータと、（ｃ）前記メモリに記憶された前記データを前記正弦波により振幅変調された直列ビットストリームのパルス列に変換する論理回路と、（ｄ）前記パルス列を出力する先端部のチップと、」を備えるのに対して、刊行物１発明では「正弦波を発生するジェネレータ」、「データを前記正弦波により振幅変調された直列ビットストリームのパルス列に変換する論理回路」、「パルス列を出力する先端部のチップ」について記載されていない点。
　
５．判断
［相違点１］について
　「スタイラス装置における先端部スイッチ」を含む「スタイラス装置の動作状態」を示すデータを記憶するについては、刊行物１の【００３１】，【００３２】，【００３５】にも、手書き検出機能の圧力機能では、ピエゾエレクトリックセンサを用いて、ペンの針部及び書き込み表面間に作用する力の総量（本願発明の「先端部スイッチ」の状態に相当。）を検出し、デジタイザによってデジタル化することが示されており、先端部スイッチの状態を示すデータも記憶し、送信するようにすることは、当業者が適宜なし得ることである。
　「軸部スイッチの状態」を含む「スタイラス装置の動作状態」を示すデータを記憶するについては、刊行物１発明も軸部スイッチ（図１の「モードスイッチ」参照。）を備えており、軸部スイッチの状態を示すデータも記憶し、送信するようにすることは、当業者が適宜なし得ることである。
　なお、上記周知文献３には、軸部スイッチ（FIG.1のthree finger activated function switches 18 19 20 参照。）の状態（the status of these switches）を送信する技術が示されている。
　「バッテリ状態」を含む「スタイラス装置の動作状態」を示すデータを記憶するについては、刊行物１発明もバッテリを備え、バッテリの電力状態をライトの点滅で示しており（【００１２】）、バッテリの状態を示すデータを記憶し、送信するようにすることは、当業者が適宜なし得ることである。
　また、その際に、「バッテリの状態」が「所定の基準電圧と比較するコンパレータによる」ものである点については、電子機器において、バッテリの状態を示すデータを、所定の基準電圧と比較するコンパレータによって得ることは、技術常識である。（例えば、当審において、平成２０年５月２７日付けで通知した拒絶理由に引用した特開平６−２０２７６８号公報には、ペン入力部１０（本願発明の「スタイラス装置」に相当。以下同様。）において、電源電池１０４（「バッテリ」）が４．４ｖ（「所定の基準電圧」）以上か判断し（「比較」）し、電池エネルギの状態であるビットパターンを形成し、記憶し、送出する技術が示されている。）
　したがって、刊行物１発明の「ペン・コンピュータ」（本願発明の「スタイラス装置」に相当。）において、「スタイラス装置の動作状態」を示すデータを記憶するにあたって、上記技術常識を用いて、「前記スタイラス装置における先端部スイッチ、軸部スイッチ及び所定の基準電圧と比較するコンパレータによるバッテリの状態を含む」ペン・コンピュータの動作状態を示すデータを記憶、出力するようにすることは、当業者が適時実施しうる設計事項である。
　
［相違点２］について
　スタイラス装置において、スタイラス識別番号を記憶し送信することは、周知技術（１）（例えば、周知文献１〜３等参照。）である。
　また、電子装置において障害コードを記憶し送信することは、周知技術（２）（例えば、周知文献４〜６等参照。）である。
　したがって、刊行物１発明の「メモリ」において、上記周知技術（１）、（２）を採用し、「スタイラス識別番号及び／又は障害コード」を示すデータもメモリに記憶するようにすることは、当業者が適宜実施しうる設計事項である。
　なお、上記周知文献３には、スタイラス装置において、３つのデータを送信する技術（機能スイッチ１８，１９，２０の状態を送信している。）が示されている。
　
［相違点３］について
　正弦波を発生するジェネレータと、メモリに記憶されたデータを前記正弦波により振幅変調された直列ビットストリームのパルス列に変換する論理回路と、は周知技術（３）（例えば、周知文献７，８（電気的接点の接触により記録媒体からデータを読み出すことも両文献に従来技術として示されている。）参照。）である。
　また、スタイラス装置において、メモリに記憶されたデータを直列ビットストリームのパルス列で送信することは、周知技術（４）（例えば、周知文献２、９参照。）である。
　また、スタイラス装置において、先端部からデータを出力することは、周知技術（５）（例えば、周知文献２，１０参照。）である。
　さらに、刊行物１発明において、「送信器」をチップで構成することは、当業者が適宜実施しうる設計事項である。
　したがって、刊行物１発明において、メモリに記憶した出力を伝送するにあたって、これらの周知技術（３）〜（５）を用いて、「（ｂ）正弦波を発生するジェネレータと、（ｃ）前記メモリに記憶された前記データを前記正弦波により振幅変調された直列ビットストリームのパルス列に変換する論理回路と、（ｄ）前記パルス列を出力する先端部のチップと、」を備えるようにすることは、当業者が容易に想到できたものである。
　
　
　そして、本願請求項１に係る発明の作用効果も、刊行物１及び周知文献１〜１０から当業者が予測できる範囲のものである。
　
　
　したがって、本願発明は、刊行物１に記載された発明及び周知技術に基づいて、当業者が容易に発明をすることができたものであるから、特許法第２９条第２項の規定により、特許を受けることができない。
　
　よって、結論のとおり審決する。